(57)【特許請求の範囲】
【請求項１】
主装置と、複数の従属装置が、複数入力複数出力の受動的な波長ルータを介して光線路で繋がれることにより光通信を行う伝送システムにおける光線路を監視する光線路監視システムであって、
この光線路監視システムは、（１）前記光線路のうち前記従属装置と前記波長ルータとをそれぞれ繋ぐ従属装置側光線路を監視するための複数の波長の監視用光信号を送受信する試験機と、この試験機を制御する試験制御装置を含んでなる光線路監視装置を備えると共に、（２）前記伝送システムの従属装置にそれぞれ前記監視用光信号を反射する反射手段を備え、さらに、（３）前記試験機と前記波長ルータの前記主装置が接続されている側の入力ポート部の各入力ポートのうち、主装置と接続されている入力ポートとは異なる任意の入力ポートとを監視用光線路で繋ぎ、
前記試験機は、（１）前記監視用光信号を、前記波長ルータを介して前記従属装置に送信すると共に、（２）前記従属装置が備える反射手段により反射された前記監視用光信号を、再び前記波長ルータを介して受信し、
前記従属装置側光線路の監視を行うこと、
を特徴とする光線路監視システム。
【請求項２】
前記波長ルータは、前記複数の従属装置が接続されている側の出力ポート部に、前記主装置と前記波長ルータとを繋ぐ主装置側光線路の監視を行うための監視用出力ポートを有し、前記主装置から送信された光信号を監視用光信号として、前記監視用出力ポートに送信することにより、前記主装置側光線路の監視を行うこと、を特徴とする請求項１に記載の光線路監視システム。
【請求項３】
前記主装置から前記監視用出力ポートに送信された監視用光信号を、次の手段のうちのいずれかの手段により前記主装置又は前記試験機に入力し、前記主装置側光線路の監視を行うこと、を特徴とする請求項２に記載の光線路監視システム。
（１）前記監視用出力ポートは反射部を備え、前記主装置から送信された監視用光信号をこの反射部で反射し、前記波長ルータ及び主装置側光線路を介して、前記主装置に入力する手段。
（２）前記監視用出力ポートと前記試験機とを光線路で繋ぎ、この光線路を介して、前記主装置から送信された監視用光信号を前記試験機に入力する手段。
【請求項４】
前記従属装置に備えられる反射手段が、次の反射手段であること、を特徴とする請求項１乃至請求項３のいずれか１項に記載の光線路監視システム。
前記従属装置は複数の波長帯の光信号を合分波するフィルタを有し、このフィルタにより、前記光線路監視装置から送信された監視用光信号と前記主装置から送信された通信用光信号とを分波し、この分波した光信号のうち前記光線路監視装置から送信された監視用光信号を反射部で反射し、この反射した光信号を前記フィルタを通して元の光線路に導いて前記主装置が送受信する通信用光信号(λ)と合波する反射手段。
【請求項５】
前記主装置と前記試験機とを光線路で繋ぐと共に、前記主装置に、前記主装置が送受信する通信用光信号と前記試験機が送受信する監視用光信号とを合分波する合分波手段を備えたこと、前記主装置側光線路は前記監視用光線路を兼ね、前記試験機は前記従属装置側光線路を監視する監視用光信号をこの主装置側光線路を介して送受信すること、を特徴とする請求項１乃至請求項４のいずれか１項に記載の光線路監視システム。
【発明の詳細な説明】
【０００１】
【発明の属する技術分野】
本発明は、電話通信システムなどの光通信を行う伝送システムにおける光線路の状態を監視する光線路監視システムに関する。
【０００２】
【従来の技術】
主装置１１０と従属装置１２０（１２０ａ・１２０ｂ・・１２０ｍ）とが光合分波装置１３０、共通光線路１４０、及び従属装置側光線路１５０（１５０ａ・１５０ｂ・・１５０ｍ）によって結ばれた伝送システム１００（「ポイント−マルチポイント光通信システム１００」ともいう）における光線路監視システムの構成の従来例を、図１６を用いて説明する。試験機１９１、試験制御装置１９２、ファイバ心線選択装置１９３、及び光分岐モジュール１９４（１９４ａ・１９４ｂ・・１９４ｍ）で構成される光線路監視装置１９０が、従属装置１２０と光合分波装置１３０の間に置かれ、従属装置側光線路１５０の一本一本を、それぞれを監視する。この際、光分岐モジュール１９４でのパワー分岐による大きな光損失が生じ、主装置１１０及び／又は従属装置１２０における受光パワーレベルに影響を与えてしまい好ましくない。
また、主装置１１０及び従属装置１２０（１２０ａ・１２０ｂ・・１２０ｍ）における受光パワーレベルを高く保ち、高速ビットレートの伝送を可能とするために、図１７のように、光合分波装置１３０（図１６で示す）の代わりに光損失の少ない波長ルータ１７０を用い、この波長ルータ１７０のルーテイング特性に合わせた波長の光信号によって通信を行う伝送システム１００’が知られる。この伝送システム１００’には、光線路監視装置１９０’を従属装置側光線路１５０に挿入して、この従属装置側光線路１５０の一本一本を監視する光線路監視システムが使われる。
【０００３】
【発明が解決しようとする課題】
しかしながら、光線路監視のため、従属装置側光線路１５０の途中に光線路監視装置１９０’を挿入しているので、パワー分岐による大きな光損失が生じてしまうという欠点がある。また、この光線路監視装置１９０’の場合も、従属装置側光線路１５０の一本一本と該光線路監視装置１９０’とをそれぞれ接続しなければならず、設置や取り扱いが不便であるという欠点もあった。
このように、従来の光線路監視システム１００・１００’では、光線路監視装置１９０・１９０’による大きな光損失が恒常的に発生するという問題や、設置及び取り扱いが不便であるという問題があった。また、主装置１１０と光合分波装置１３０を繋ぐ光線路１４０の監視（図１６）や主装置１１０と波長ルータ１７０を繋ぐ各光線路１５０の監視（図１７）を行えないという問題があった。
そこで、本発明は、光損失を可及的に少なくすると共に、設置や取り扱いが容易で伝送システムの信頼性を高めることのできる光線路監視システムを提供することを目的とする。
【０００４】
【課題を解決するための手段】
上記の課題を解決するため、本発明者らは鋭意研究を行い、本発明を完成するに至った。すなわち、本発明は、主装置と、複数の従属装置が、複数入力複数出力の受動的な波長ルータを介して光線路で繋がれることにより光通信を行う伝送システムにおける光線路を監視する光線路監視システムである。
この光線路監視システムは、（１）前記光線路のうち従属装置と前記波長ルータとをそれぞれ繋ぐ従属装置側光線路を監視するための複数の波長の監視用光信号を送受信する試験機と、この試験機を制御する試験制御装置を含んでなる光線路監視装置を備える。加えて、（２）前記伝送システムの従属装置にそれぞれ前記監視用光信号を反射する反射手段を備える。さらに、（３）前記試験機と前記波長ルータの前記主装置が接続されている側の入力ポート部の各入力ポートのうち、主装置と接続されている入力ポートとは異なる任意の入力ポートとが監視用光線路で繋がれる。そして、前記試験機は、（１）前記監視用光信号を、前記波長ルータを介して前記従属装置に送信すると共に、（２）前記従属装置が備える反射手段により反射された前記監視用光信号を、再び前記波長ルータを介して受信し、これにより、前記従属装置側光線路の監視を行うこと、を特徴とする（請求項１）。
【０００５】
この構成によれば、試験機から送信された所定の波長の監視用光信号は、波長ルータのルーティング特性により、監視用光信号の波長に応じて特定の従属装置側光線路を通って特定の従属装置に到達する。そして、従属装置で反射され、再び特定の従属装置側光線路を通って、波長ルータのルーティング特性により試験機に戻される。これにより、パワー分岐による光損失を生ずることなく従属装置側光線路の断線の有無などの異常を監視することができる。また、システムの設置・取り扱いが容易である。なお、試験機は、少なくとも従属装置の台数分だけの異なる波長の監視用光信号を送受信することができる。
【０００６】
また、本発明の光線路監視システムにおいては、前記波長ルータは、前記複数の従属装置が接続されている側の出力ポート部に、前記主装置と前記波長ルータとを繋ぐ主装置側光線路の監視を行うための監視用出力ポートを有し、前記主装置から送信された光信号を監視用光信号として、前記監視用出力ポートに送信することにより、前記主装置側光線路の監視を行うこととすることができる（請求項２）。
【０００７】
この構成によれば、主装置が監視用光信号を送信する。この監視用光信号は、主装置側光線路を通り、波長ルータの従属装置が接続されていない出力ポートに、パワー分岐されることなく到達する。この到達した監視用光信号に基づいて、主装置側光線路の断線の有無などの異常を監視することができる。主装置が送信する監視用光信号は、波長ルータのルーティング特性により、波長ルータの従属装置が接続されていない出力ポート（監視用出力ポート）に到達する波長が設定してある。
【０００８】
また、本発明の光線路監視システムにおいては、前記主装置から前記監視用出力ポートに送信された監視用光信号を、次の手段（１）又は手段（２）のうちのいずれかの手段により前記主装置又は前記試験機に入力し、前記主装置側光線路の監視を行うこととすることができる（請求項３）。
（手段１）  前記監視用出力ポートは反射部を備え、前記主装置から送信された監視用光信号をこの反射部で反射し、前記波長ルータ及び主装置側光線路を介して、前記主装置に入力する。
（手段２）  前記監視用出力ポートと前記試験機とを光線路で繋ぎ、この光線路を介して、前記主装置から送信された監視用光信号を前記試験機に入力する。
【０００９】
手段（１）によれば、監視用出力ポートに到達した監視用光信号は反射部で反射され、波長ルータのルーティング特性に応じてパワー分岐されることなく主装置に戻される。主装置側光線路の断線の有無などは、主装置又は光線路監視装置で判断することとすることができる。
手段（２）によれば、監視用出力ポートに到達した監視用光信号は、専用の光線路により試験機に入力される。主装置側光線路の断線の有無などは、光線路監視装置で判断することができる。
【００１０】
また、本発明の光線路監視システムにおいては、前記従属装置に備えられる反射手段が、次の反射手段とすることができる（請求項４）。
前記従属装置は複数の波長帯の光信号を合分波するフィルタを有し、このフィルタにより、前記光線路監視装置から送信された監視用光信号と前記主装置から送信された通信用光信号とを分波（分岐）し、この分波した光信号のうち前記光線路監視装置から送信された監視用光信号を反射部で反射し、この反射した監視用光信号を前記フィルタを通して元の光線路に導いて前記主装置が送受信する通信用光信号と合波する反射手段。
【００１１】
前記反射手段によれば、監視用光信号のみが反射される。従って、光通信を行いながら従属装置側光線路の監視を行うことができる。
【００１２】
また、本発明の光線路監視システムにおいては、監視すべき前記伝送システムが複数ある場合は、この複数の伝送システムが有するそれぞれの波長ルータの入力ポート部と前記試験機とを光スイッチを介してそれぞれ監視用光線路で繋ぎ、この光スイッチを切り換えることにより、前記複数の伝送システムのうち、任意の伝送システムにおける光線路の監視を行うこととすることができる。
【００１３】
この構成によれば、監視すべき伝送システムが複数あっても、１台の光線路監視装置で監視することができる。
【００１４】
そして、本発明の光線路監視システムにおいては、前記主装置と前記試験機とを光線路で繋ぐと共に、前記主装置に、この主装置が送受信する光信号と前記試験機が送受信する監視用光信号とを合分波する合分波手段を設け、前記主装置側光線路は、前記監視用光線路を兼ねることとすることができる。そして、前記試験機は、前記従属装置側光線路を監視する監視用光信号を、この主装置側光線路を介して送受信する（請求項５）。
【００１５】
この構成によれば、従属装置側光線路の監視と主装置側の光線路の監視を同時に行うことができる。
主装置側光線路を監視するための監視用光信号は、主装置あるいは試験機が送信する。この監視用光信号を主装置が送信する場合は、通信用光信号のうち未使用のものを、主装置側光線路を監視する監視用光信号とすることができる。また、この監視用光信号を試験機が送信する場合は、従属装置側光線路を監視する監視用光信号のうち未使用のものを、主装置側光線路を監視する監視用光信号とすることができる。
なお、本明細書におけるｎやＮは、２以上の数という意味であり、必ずしもアルファベットの１４番目という意味ではない。同様に、ｍは、ｎよりも小さい２以上の数という意味である。
【００１６】
【発明の実施の形態】
以下、本発明の実施の形態を、図面を参照して詳細に説明する。
先ず、本実施の形態の光線路監視システムが適用される伝送システムについて説明する。
【００１７】
≪伝送システム≫
図１に示すように、伝送システム１は、主装置１０、従属装置２０（２０ａ・２０ｂ・・２０ｍ）、波長ルータ７０、主装置１０と波長ルータ７０とを繋ぐ主装置側光線路４０、波長ルータ７０と従属装置２０を繋ぐ従属装置側光線路５０（５０ａ・５０ｂ・・５０ｍ）を含んでなる。この伝送システム１により、ポイント−マルチポイント光通信を行う。
【００１８】
主装置１０は、複数の波長の通信用光信号λを従属装置２０に向けて送信することができる。また、主装置１０は、従属装置２０からの複数の波長の通信用光信号λを受信することができる。
【００１９】
従属装置２０は、主装置１０が送信する複数の波長の通信用光信号λのうち、特定波長の（一の）通信用光信号λを受信すると共に、主装置１０に向けて受信した特定波長の通信用光信号λと同じ波長の通信用光信号λを送信することができる。
【００２０】
光ファイバなどよりなる光線路は、前記のとおり主装置側光線路４０と従属装置側光線路５０（５０ａ・５０ｂ・・５０ｍ）の２系統があり、光線路監視システムＡによりそれぞれ監視される。なお、従属装置側光線路５０は、波長ルータ７０と従属装置２０（２０ａ・２０ｂ・・２０ｍ）を個別に繋ぐ個別光線路である。主装置側光線路４０は、複数の波長が重畳された通信用光信号λを伝送（導波）する。
【００２１】
本実施の形態で用いられる波長ルータ７０は、ｎポート入力ｎポート出力の波長ルータである。本実施の形態においては、波長ルータ７０のうち、主装置１０が接続されている側のポートを入力ポート部７０Ｐといい、従属装置２０が接続されている側のポートを出力ポート部７０Ｑという。
入力ポート部７０Ｐは、複数の入力ポートを有する。この複数の入力ポートのうち、一つの入力ポートに主装置１０が主装置側光線路４０を介して接続されている。また、出力ポート部７０Ｑも複数の出力ポートを有し、それぞれの出力ポートに従属装置２０（２０ａ・２０ｂ・・２０ｍ）がそれぞれ個別の従属装置側光線路５０（５０ａ・５０ｂ・・５０ｍ）により接続されている。
【００２２】
ここで、図２を参照して波長ルータ７０の作動原理を説明する。図２は、波長ルータの機能を示す図である。
波長ルータ７０の入力ポート部７０Ｐは、７０Ｐａ〜７０Ｐｎまでのｎポートの入力ポートを有する。出力ポート部７０Ｑも、７０Ｑａ〜７０Ｑｎまでのｎポートの出力ポートを有する。
【００２３】
波長ルータ７０は、入力ポート７０Ｐａ・７０Ｐｂ・・７０Ｐｎごとに周期的な波長分波特性（ルーティング特性）を有し、特定の入力ポートに入力された特定波長の光信号は、特定の出力ポートに受動的に出力（ルーティング）される。
具体的には、例えば、▲１▼入力ポート７０Ｐｉ−１に波長λｋの光信号が入力されると、ｎ個ある出力ポート７０Ｑのうち、出力ポート７０Ｑｎ−２にルーティングされる。
同様に、▲２▼入力ポート７０Ｐｉ−１の一つ隣にある入力ポート７０Ｐｉに波長λｋの光信号が入力されると、出力ポート７０Ｑｎ−２の一つ隣にある出力ポート７０Ｑｎ−１にルーティングされる。
また、▲３▼入力ポート７０Ｐｉ−１に波長λｊの光信号が入力されると、波長λｋがルーティングされる出力ポート７０Ｑｎ−２とは一つ隣の出力ポート７０Ｑｎ−１にルーティングされる。
この場合、隣り合うポートの入出力波長差ｄλは、ｄλ＝λｊ−λｋである。
【００２４】
一方、波長ルータ７０の出力ポートも、出力ポート７０Ｑａ・７０Ｑｂ・・７０Ｑｎごとに周期的な波長分波特性（ルーティング特性）を有し、特定の出力ポートに入力された特定波長の光信号は、特定の入力ポートに受動的にルーティングされる。
具体的には、例えば、▲１▼出力ポート７０Ｑｎ−２に波長λｋの光信号が入力されると、ｎ個ある入力ポート７０Ｐのうち、入力ポート７０Ｐｉ−１にルーティングされる。
同様に、▲２▼出力ポート７０Ｑｎ−２の一つ隣にある出力ポート７０Ｑｎ−１に波長λｋの光信号が入力されると、入力ポート７０Ｐｉ−１の一つ隣にある入力ポート７０Ｐｉにルーティングされる。
また、▲３▼出力ポート７０Ｑｎ−１に波長λｊの光信号が入力されると、波長λｋがルーティングされる入力ポート７０Ｐｉとは一つ隣の入力ポート７０Ｐｉ−１にルーティングされる。
この場合も、隣り合うポートの入出力波長差ｄλは、ｄλ＝λｊ−λｋである。
【００２５】
つまり、▲１▼入力ポート７０Ｐｉ−１に入力された波長λｋの光信号は、出力ポート７０Ｑｎ−２に必ずルーティングされる。逆に、出力ポート７０Ｑｎ−２に入力された波長λｋの光信号は、入力ポート７０Ｐｉ−１に必ずルーティングされる。
同様に、▲２▼入力ポート７０Ｐｉに入力された波長λｋの光信号は、出力ポート７０Ｑｎ−１に必ずルーティングされる。逆に、出力ポート７０Ｑｎ−１に入力された波長λｋの光信号は、入力ポート７０Ｐｉに必ずルーティングされる。
また、▲３▼入力ポート７０Ｐｉ−１に入力された波長λｊの光信号は、出力ポート７０Ｑｎ−１に必ずルーティングされる。逆に、出力ポート７０Ｑｎ−１に入力された波長λｊの光信号は、入力ポート７０Ｐｉ−１に必ずルーティングされる。
このように、波長ルータ７０に入力される光信号は、入力ポート（出力ポート）の位置と波長が決定されれば、自ずとルーティングされる出力ポート（入力ポート）が決定される。
【００２６】
本実施の形態の光線路監視システムＡが適用される伝送システム１は、この波長ルータ７０により、クロストークすることなく主装置１０と従属装置２０との間で、光通信を行うことができる。つまり、主装置１０は、通信用光信号λの波長を選択することにより、任意の従属装置２０と通信を行うことができる。一方、従属装置２０は、受信した通信用光信号λと同じ波長の通信用光信号λを送信することにより主装置１０と通信することができる。
【００２７】
次に、前記説明した伝送システムにおける光線路の断線の有無などを監視する本実施の形態の光線路監視システムを、以下の第１の実施形態〜第４の実施形態に従って説明する。
なお、第１の実施形態及び第２の実施形態における光線路監視システムは、光線路監視装置からの監視用光信号を独自の光線路（監視用光線路）を使用して波長ルータに送信するものである。また、第３の実施形態及び第４の実施形態における光線路監視システムは、主装置側光線路が監視用光線路を兼ねるものである。いずれの実施形態も、主装置側光線路及び従属装置側光線路の監視を行うことができる。
【００２８】
≪第１の実施形態≫
第１の実施形態の光線路監視システムを、図１などを参照して説明する。
なお、第１の実施形態の伝送システムは、前記説明した伝送システム１と同じ構成及び機能を有するので、伝送システム中の同一の要素・部材には同一の符号を付して、その説明を省略する。
【００２９】
〔光線路監視システムの構成〕
第１の実施形態の光線路監視システムＡ１は、光線路監視装置９０、光線路監視装置９０と波長ルータ７０の入力ポート部７０Ｐとを繋ぐ監視用光線路４１、波長ルータ７０の出力ポート部７０Ｑと光線路監視装置９０とを繋ぐ光線路５１、従属装置２０に備えられる反射手段を含んで構成される（図１参照）。
【００３０】
（１）従属装置側光線路を監視する光線路監視システムの構成を説明する。
光線路監視装置９０は、多波長対応型試験機９１（以下「試験機９１」という）と、この試験機９１を制御する試験制御装置９２とを含んで構成される。
試験機９１は、複数の波長の監視用光信号λ’を、波長ルータ７０を介して監視用光信号λ’の波長ごとに、特定の従属装置２０に向けて送信することができる（この点は後述する）。また、試験機９１は、従属装置２０が備える反射手段により反射された監視用光信号λ’を、波長ルータ７０を介して受信することができる。試験機９１が送受信する監視用光信号λ’は、伝送システム１における通信を阻害しないように、主装置１０が送受信する通信用光信号λとは周波数帯域が異なったものとなっている。
ちなみに、試験機９１（光線路監視装置９０）は、特定波長の監視用光信号λ’を特定の従属装置２０に送信し、特定の従属装置２０により反射された特定波長の監視用光信号λ’を受信（検出）することにより、光線路の断線の有無などを監視するものである。
また、試験制御装置９２は、光線路監視システムＡを統括的に制御し、監視用光信号λ’の送信、従属装置側光線路５０の異常の有無を判断する。
【００３１】
従属装置２０はそれぞれ反射手段を備える。この反射手段は、試験機９１から送信された監視用光信号λ’を反射して試験機９１に戻す役割を有する。その一方、この反射手段は、主装置１０から送信された通信用光信号λの通過を許容するものである。従って、通信用光信号λは、反射手段により反射されることなく、従属装置２０が備える送受信部２１（図３参照）に到達する。また、反射手段は、送受信部２１が主装置１０に向けて送信した通信用光信号λの通過を許容する。これにより、主装置１０と従属装置２０との間の通信が阻害されることなく、従属装置側光線路５０の監視を行うことができる。
【００３２】
反射手段の具体的構成の例を、図３〜図５を参照して説明する。
反射手段の一つの例として、図３（ａ）に示す構成のものがあげられる。この場合、反射手段は、フィルタＦ１と反射部Ｒ１とを含んで構成される。このフィルタＦ１は、図４に示す特性を有する。
すなわち、通信用光信号λと監視用光信号λ’が重畳されてフィルタＦ１に入力された場合（図４（ａ）参照）、フィルタＦ１は、波長に応じて通信用光信号λと監視用光信号λ’を分離する。そして、通信用光信号λを後段側の送受信部２１に導く。これにより、送受信部２１に通信用光信号λが入力される。一方、フィルタＦ１は、監視用光信号λ’を後段側の反射部Ｒ１に導く。反射部Ｒ１に導かれた監視用光信号λ’は、ここで反射されて再びフィルタＦ１に返り、従属装置側光線路５０に送り出される。また、送受信部２１が送信する通信用光信号λも、フィルタＦ１を通して従属装置側光線路５０に送り出される。
ここで、フィルタＦ１は、図４（ｂ）に示すように、通信用光信号λ（λａ・λｂ・・λｎ）の周波数帯域と監視用光信号λ’（λ’ａ・λ’ｂ・・λ’ｎ）の周波数帯域とを、分離することができる。
なお、反射部Ｒ１は、監視用光信号λ’を反射することができるものであれば特定のものに限定されることはなく、例えば光ファイバを垂直に切断したものでもよい。
【００３３】
また、反射手段の異なる例として、図３（ｂ）に示す構成のものがあげられる。この場合、反射手段は、フィルタＦ２が主たる構成要素となる。このフィルタＦ２は、図５に示す特性を有する。
すなわち、通信用光信号λと監視用光信号λ’が重畳されてフィルタＦ２に入力された場合（図５（ａ）参照）、フィルタＦ２は、波長に応じて通信用光信号λを透過し、監視用光信号λ’を反射（フレネル反射）する。透過された通信用光信号λは、後段側の送受信部２１に入力される。フィルタＦ２で反射された監視用光信号λ’は、従属装置側光線路５０に戻される。送受信部２１が送信する通信用光信号λは、フィルタＦ２で反射されることなくこれを透過し、従属装置側光線路５０に送り出される。
ここで、フィルタＦ２は、図５（ｂ）に示すように、通信用光信号λ（λａ、λｂ・・λｎ）の周波数帯域と監視用光信号λ’（λ’ａ・λ’ｂ・・λ’ｎ）の周波数帯域とを、波長に応じて一方の周波数帯域を透過し、他方の周波数帯域を反射するものである（反射される側は監視用光信号λ’の周波数帯域）。
【００３４】
監視用光線路４１は、光線路監視装置９０の試験機９１と、波長ルータ７０とを接続する。この監視用光線路４１は、波長ルータ７０の入力ポート部７０Ｐ（図２参照）の主装置１０が接続されている入力ポートとは異なる任意の一の入力ポートに接続している。
ここで、波長ルータ７０は、通信用光信号λに対する場合と同様の波長分波特性（ルーティング特性）を、監視用光信号λ’に対しても有する。従って、試験機９１から送信された監視用光信号λ’は、その波長に応じて、波長ルータ７０の特定の出力ポートにルーティングされ、特定の従属装置２０に到達する。また、特定の従属装置２０に到達した監視用光信号λ’は、反射手段により反射され、再び波長ルータ７０に戻り、波長に応じてルーティングされ、送信元である試験機９１に受信される。
【００３５】
ここで、波長ルータ７０の特性イメージを、図６を参照して説明する。
波長ルータ７０は、通信用光信号λ（λａ、λｂ、・・λｎ）の周波数帯域における波長分波特性を、監視用光信号λ’（λ’ａ、λ’ｂ、・・λ’ｎ）の周波数帯域にも有する。
ここで、▲１▼通信用光信号λ１及び監視用光信号λ’ａが、従属装置２０ａが接続されている出力ポートにルーティングされ、▲２▼通信用光信号λｂ及び監視用光信号λ’ｂが、従属装置２０ｂが接続されている出力ポートにルーティングされ、▲３▼通信用光信号λｍ及び監視用光信号λ’ｍが、従属装置２０ｍが接続されている出力ポートにルーティングされるとする。この場合、▲１▼通信用光信号λａ及び監視用光信号λ’ａの＃ＦＳＲ（Ｆｒｅｅ  Ｓｐｅｃｔｒｕｍ  Ｒａｎｇｅ）、▲２▼通信用光信号λｂ及び監視用光信号λ’ｂの＃ＦＳＲ、▲３▼通信用光信号λｍ及び監視用光信号λ’ｍの＃ＦＳＲは、すべて同じ値になっている。つまり、波長帯域が異なっても＃ＦＳＲの値が同じであれば、波長ルータ７０におけるルーティング特性が同じになる。
従って、試験機９１から送信される監視用光信号λ’も、主装置１０から送信される通信用光信号λと同様、波長に応じて特定の従属装置２０に到達する。また、従属装置２０の反射手段により反射された監視用光信号λ’は、送信元である試験機９１に受信される。別の表現をすると、通信用光信号λと監視用光信号λ’とで＃Ｓｕｆｆｉｘ〔添え字〕が同じものは、同じ出力ポート（入力ポート）にルーティングされる。
なお、波長ルータ７０の特性には周期性があり、＃ＦＳＲの値の整数倍ごとに同じルーティング特性（波長分波特性）が得られる。
【００３６】
（２）主装置側光線路を監視する光線路監視システムの構成を説明する。
主装置１０は、複数の波長の通信用光信号λに加えて、主装置側光線路４０を監視するための監視用光信号λ’’を送信することができる。
【００３７】
波長ルータ７０の出力ポート部７０Ｑは、監視用光信号λ’’を出力する監視用出力ポート７０Ｑｚを有する。そして、光線路５１が、この監視用出力ポート７０Ｑｚと試験機９１とを繋ぎ、主装置１０が送信した監視用光信号λ’’を試験機９１で受信して、主装置側光線路４０の断線の有無などを監視する。
【００３８】
なお、監視用光信号λ’’の波長は、主装置１０と従属装置２０との通信を阻害しない波長帯域の周波数で、かつ、波長ルータ７０のルーティング特性により監視用出力ポート７０Ｑｚに出力（ルーティング）される周波数の光信号が使用される。この監視用光信号λ’’には、通信用光信号λのうち、使われていない波長（空き波長）の光信号を割り当てることができる。
【００３９】
〔光線路監視システムの動作〕
第１の実施形態の光線路監視システムＡ１の動作を、図１などを参照して説明する。
【００４０】
（１）従属装置側光線路の監視；
例えば、１番目の従属装置側光線路５０ａを監視する場合、試験機９１は、波長ルータのルーティング特性に応じた周波数の監視用光信号λ’ａを送信する。この監視用光信号λ’ａは、波長ルータ７０によりルーティングされ、従属装置側光線路５０ａを通って従属装置２０ａに到達する。従属装置２０ａに到達した監視用光信号λ’ａは、反射手段により反射され、もとの経路をたどって試験機９１に受信される。
なお、試験機９１に監視用光信号λ’ａが受信された場合は、従属装置側光線路５０ａには断線などの異常がないものと判断される。試験機９１に受信されなかった場合は、従属装置側光線路５０ａに断線などの異常があるものと判断される。また、受信した監視用光信号λ’のパワーレベルからも光線路の異常の有無を監視する。加えて、異常が生じた場所では光の反射が生じるので、送信した監視用光信号λ’が反射されて戻ってきた時間の長短から、異常がどこで生じたのかを監視することができる。ここで、試験機９１が送信する監視用光信号λ’の波長の選択、光線路の異常の有無などの判断は、試験制御装置９２が行う。
ちなみに、２番目の従属装置側光線路５０ｂや、ｍ番目の従属装置側光線路５０ｍなどを監視する場合は、それぞれ波長ルータのルーティング特性に応じた周波数の監視用光信号λ’ｂ・λ’ｍを試験機９１が送信し、再び受信することで異常の有無を監視することができる。
【００４１】
（２）主装置側光線路の監視；
主装置側光線路４０を監視する場合、試験制御装置９２からの指令に基づいて、主装置１０が監視用光信号λ’’を送信する。この監視用光信号λ’’は、主装置側光線路４０を通過して波長ルータ７０に到達する。そして、波長ルータ７０のルーティング特性に応じて監視用出力ポート７０Ｑｚにルーティング（出力）され、光線路５１を通して試験機９１に受信される。なお、試験機９１に監視用光信号λ’’が受信された場合は、主装置側光線路４０には断線などの異常がないものと判断される。試験機９１に受信されなかった場合は、主装置側光線路４０に断線などの異常があるものと判断される。また、受信した監視用光信号λ’’のパワーレベルや戻ってきた時間の長短などからも、光線路の異常の有無を監視する。
ここで、試験制御装置９２は、主装置１０が監視用光信号λ’’を送信するタイミングの調整や光線路の異常の有無などの判断を行う。
【００４２】
このように、第１の実施形態の光線路監視システムＡ１によれば、波長ルータにより、通信用光信号と監視用光信号とを合波・分波するため、パワー分岐による光損失を生じることなく光線路の異常を監視することができる。また、監視用光信号の周波数帯域が通信用光信号の周波数帯域とは異なるので、伝送システムにおける通信を阻害することがない。
【００４３】
なお、前記説明した主装置側光線路４０を監視する監視用光信号λ’’は、波長ルータ７０の監視用出力ポート７０Ｑｚに接続された光線路５１を介して試験機９１に入力される構成である。この構成に代えて、図７に示すように、波長ルータ７０の監視用出力ポート７０Ｑｚに反射部Ｒ２を備え、監視用出力ポート７０Ｑｚに出力された監視用光信号λ’’を反射する構成としてもよい。
この構成の場合、反射された監視用光信号λ’’は、波長ルータ７０のルーティング特性により再び主装置側光線路４０を通過して主装置１０に受信される。主装置１０は、受信した監視用光信号λ’’の信号強度を電気信号に変換して試験制御装置９２に送信し、試験制御装置９２が主装置側光線路４０の断線の有無などを判断する。
このように、監視用出力ポートに反射部を設けることによっても、主装置側光線路の監視を行うことができる。
【００４４】
≪第２の実施形態≫
第２の実施形態の光線路監視システムを、図８などを参照して説明する。
この第２の実施形態は、複数の伝送システムを一つの光線路監視システムＡ２で監視するものである。
【００４５】
〔光線路監視システムの構成〕
この第２の実施形態の光線路監視システムＡ２は、第１の実施形態の光線路監視システムＡ１と同様、従属装置側光線路５０及び主装置側光線路４０の監視を行う。但し、伝送システム１は系Ａ〜系Ｎまで、Ｎ個ある。
なお、各伝送システム１（１Ａ・１Ｂ・・１Ｎ）は、第１の実施形態の伝送システム１と同じ構成及び機能を有するので、同一の要素・部材には同一の符号を付して、その説明を省略する。
同様に、光線路監視システムＡ２についても、第１の実施形態の光線路監視システムＡ１と同一の要素・部材には同一の符号を付して、その説明を省略する。
【００４６】
（１）従属装置側光線路を監視する光線路監視システムの構成を説明する。
光線路監視装置９０は、試験機９１及び試験制御装置９２に加えて光スイッチ９３を有する。光スイッチ９３は、系Ａから系ＮまでのＮ個の波長ルータ７０・７０・・とＮ本の個別の監視用光線路４１・４１・・で結ばれている。この光スイッチ９３は、試験制御装置９２の指令に基づいて光路を切り換える光路切換スイッチである。この光スイッチ９３により、Ｎ本の監視用光線路４１・４１・・のうち、任意の１本を選択することができる。なお、波長ルータ７０と監視用光線路４１との接続の態様は、第１の実施形態の場合と同じである。
【００４７】
つまり、試験機９１は、光スイッチ９３を介してＮ本の監視用光線路４１・４１・・に接続され、光スイッチ９３が選択している１本の監視用光線路４１に向けて監視用光信号λ’を送受信する。この光スイッチ９３により、試験機９１は、監視用光信号λ’を任意の従属装置２０に送受信することができる。
なお、従属装置２０には、第１の実施形態と同様の反射手段が備えられており、試験機９１から送信された監視用光信号λ’を反射し、再び試験機９１に戻すようになっている。
【００４８】
（２）主装置側光線路を監視する光線路監視システムの構成を説明する。
各伝送システム１Ａ・１Ｂ・・１Ｎの主装置１０は、第１の実施形態と同様、複数の波長の通信用光信号λに加えて、主装置側光線路４０を監視するための監視用光信号λ’’を送信することができる。各系の主装置１０は、それぞれ試験制御装置９２と信号線により接続され、試験制御装置９２の指令により監視用光信号λ’’を送信する。試験制御装置９２により指令を受けた特定の主装置１０は、監視用光信号λ’’を送信し、この監視用光信号λ’’は、波長ルータ７０を介して監視用出力ポート７０Ｑｚに出力され、光線路５１を通過して試験機９１に入力される。
なお、試験機９１に監視用光信号λ’’を入力する場合、光路を切り換える光スイッチを介する必要は特にない。主装置１０の監視用光信号λ’’の送信は、試験制御装置９２の指令に基づくものであり、また、主装置１０の数は従属装置２０の数に比べて少ない。このため、試験制御装置９２は、入力された監視用光信号λ’’がどの系の主装置１０からのものであるかを容易に判断できる。
【００４９】
〔光線路監視システムの動作〕
第２の実施形態の光線路監視システムＡ２の動作を、図８などを参照して説明する。
【００５０】
（１）従属装置側光線路の監視；
例えば、系Ａの伝送システム１Ａの従属装置側光線路５０（５０ａ・５０ｂ・・５０ｍ）を監視する場合、光スイッチ９３により光路を切り換えて、試験機９１が送信する監視用光信号λ’が伝送システム１Ａの波長ルータ７０にのみ到達するようにする。そして、第１の実施形態で行ったように、特定の従属装置２０に到達するような波長の監視用光信号λ’を送信し、従属装置２０（２０ａ・２０ｂ・・２０ｍ）と波長ルータ７０とを個別に繋ぐ従属装置側光線路５０（５０ａ・５０ｂ・・５０ｍ）の一本一本の監視を行う。
次に系Ｂの伝送システム１Ｂの従属装置側光線路５０（５０ａ・５０ｂ・・５０ｍ）を監視する場合は、光スイッチ９３により光路を切り換えて、試験機９１が送信する監視用光信号λ’が伝送システム１Ｂの波長ルータ７０にのみ到達するようにする。そして、順次監視用光信号λ’を送信して従属装置側光線路５０（５０ａ・５０ｂ・・５０ｍ）の一本一本の監視を行う。他の系についても同様に行う。
なお、試験機９１が送信する監視用光信号λ’は、系Ａに対して送信するものと他の系に送信するものと同じであってもよい。光スイッチ９３により光路が切り換えられているため、クロストークする心配がないからである。従って、この光スイッチ９３を設けることにより、試験機９１が送信する監視用光信号λ’の数を、監視する伝送システムの数が多くなっても増やす必要がない。
【００５１】
（２）主装置側光線路の監視；
例えば、系Ａの伝送システム１Ａの主装置側光線路４０を監視する場合、試験制御装置９２からの指令に基づいて、系Ａの主装置１０が監視用光信号λ’’を波長ルータ７０に向けて送信する。これにより、第１の実施形態の場合と同様に主装置側光線路４０の監視を行うことができる。なお、主装置１０が送信した監視用光信号λ’’は、波長ルータ７０によりルーティングされ、監視用出力ポート７０Ｑｚ、光線路５１を経由して試験機９１に到達する。
他の系の主装置側光線路４０を監視する場合は、試験制御装置９２が監視を行おうとする系の主装置１０に、監視用信号λ’’を送信する指令を発する。これにより、任意の系の主装置側光線路４０の監視を行うことができる。
【００５２】
このように、第２の実施形態の光線路監視システムによれば、監視すべき伝送システムの数が増えても、一つの光線路監視装置により光線路を監視することができる。当然、波長ルータにより、通信用光信号と監視用光信号とを合波・分波するため、パワー分岐による光損失を生じることなく光線路の異常を監視することができる。また、監視用光信号の周波数帯域が通信用光信号の周波数帯域とは異なるので、伝送システムにおける通信を阻害することがない。
【００５３】
なお、前記説明した主装置側光線路４０を監視する監視用光信号λ’’は、それぞれの系ごとに、波長ルータ７０の監視用出力ポート７０Ｑｚに接続された光線路５１を介して試験機９１に入力される構成である。この構成に代えて、図９に示すように、波長ルータ７０の監視用出力ポート７０Ｑｚに反射部Ｒ２を備え、監視用出力ポート７０Ｑｚに出力された監視用光信号λ’’を反射する構成としてもよい。
この構成の場合、反射された監視用光信号λ’’は、波長ルータ７０のルーティング特性により再び主装置側光線路４０を通過して主装置１０に受信される。主装置１０は、受信した監視用光信号λ’’の信号強度を電気信号に変換して試験制御装置９２に送信し、試験制御装置９２が主装置側光線路４０の断線の有無などを判断する。
このように、監視用出力ポートに反射部を設けることによっても、主装置側光線路の監視を行うことができる。
【００５４】
≪第３の実施形態≫
第３の実施形態の光線路監視システムを図１０などを参照して説明する。
この第３の実施形態の光線路監視システムＡ３は、主装置側光線路４０が監視用光線路を兼ねるものである。
【００５５】
〔光線路監視システムの構成〕
この第３の実施形態の光線路監視システムＡ３は、第１の実施形態の光線路監視システムＡ１と同様、一系統の伝送システム１の光線路（従属装置側光線路５０・主装置側光線路４０）の監視を行う。
なお、伝送システム１は、第１の実施形態の伝送システム１と同じ構成及び機能を有するので、同一の要素・部材には同一の符号を付して、その説明を省略する。
同様に、光線路監視システムＡ３についても、第１の実施形態の光線路監視システムＡ１と同一の要素・部材には同一の符号を付して、その説明を省略する。
【００５６】
（１）従属装置側光線路を監視する光線路監視システムの構成を説明する。
この第３の実施形態では、試験機９１は、主装置１０と光線路４２を介して波長ルータ７０に接続されている。試験機９１は、この光線路４２を介して監視用光信号λ’を送受信する構成である。従って、第１の実施形態及び第２の実施形態における監視用光線路４１（図１など参照）は存在しない。
【００５７】
主装置１０は、監視用光信号λ’と主装置１０が送信する通信用光信号λを合分波するため、合分波手段を備えている（図１１参照）。この合分波手段は、フィルタＦ３を有し、試験機９１から送信された監視用光信号λ’と主装置１０から送信された通信用光信号λとを、このフィルタＦ３で合波（重畳）し、合波した光信号（λ・λ’）を主装置側光線路４０に導く。また、この合分波手段は、従属装置２０からの監視用光信号λ’（反射されたもの）と通信用光信号λとを、フィルタＦ３で分波し、通信用光信号λを送受信部１１に導き、監視用光信号λ’を光線路４２（つまり試験機９１）に導く。
【００５８】
この合分波手段のフィルタＦ３は、図１２に示すように、通信用光信号λ（λａ、λｂ・・λｍ）の周波数帯域と監視用光信号λ’（λ’ａ・λ’ｂ・・λ’ｍ）の周波数帯域とを、波長に応じて分離するものである。
【００５９】
その他、従属装置２０、主装置側光線路４０、波長ルータ７０、光線路５１、試験機９１、試験制御装置９２などの構成は、第１の実施形態と同じである。
【００６０】
（２）主装置側光線路を監視する光線路監視システムの構成を説明する。
この第３の実施形態の光線路監視システムＡ３は、第１の実施形態などと異なり、試験機９１が主装置側光線路４０を監視するための監視用光信号λ’’を送信する。この監視用光信号λ’’の波長は、合分波手段のフィルタＦ３を透過すると共に、波長ルータ７０の監視用出力ポート７０Ｑｚにルーティングされるような波長が選択される。波長ルータ７０、光線路５１などの構成は、第１の実施形態の構成と同じである。なお、この第３の実施形態における監視用光信号λ’’には、監視用光信号λ’のうち、使われていない波長（空き波長）の光信号を割り当ててある。
【００６１】
〔光線路監視システムの動作〕
第３の実施形態の光線路監視システムＡ３の動作を、図１０などを参照して説明する。
【００６２】
（１）従属装置側光線路の監視；
第３の実施形態では、試験機９１が送信した監視用光信号λ’は、光線路４２、主装置１０（フィルタＦ３）、主装置側光線路４０を介して波長ルータ７０に入力され、波長ルータ７０のルーティング特性により特定の従属装置側光線路５０を通って、特定の従属装置２０に到達する。従属装置２０に到達した監視用光信号λ’は反射手段により反射され、再び従属装置側光線路５０を通って波長ルータ７０によりルーティングされ、主装置側光線路４０、主装置１０（フィルタＦ３）、光線路４２を介して試験機９１に受信される。第１の実施形態と同様、受信した監視用光信号λ’の強度レベルや戻ってきた時間の長短により、従属装置側光線路５０の断線などの異常の有無を監視する。試験機９１の制御や異常の有無などの判断は、試験制御装置９２が行う。
【００６３】
（２）主装置側光線路の監視；
第３の実施形態では、主装置側光線路４０を監視するための試験機９１が監視用光信号λ’’を送信する。試験機９１が送信した監視用光信号λ’’は、光線路４２、主装置１０（フィルタＦ３）、主装置側光線路４０を介して波長ルータ７０に入力され、波長ルータ７０によりルーティングされ、監視用出力ポート７０Ｑｚに出力される。監視用出力ポート７０Ｑｚからは、光線路５１を経由して試験機９１に受信される。この受信した監視用光信号λ’’の強度レベルや戻ってきた時間の長短により、主装置側光線路４０における断線などの異常の有無を監視する。試験機９１の制御や異常の有無などの判断は、試験制御装置９２が行う。
【００６４】
この第３の実施形態の光線路監視システムによれば、第１の実施形態の光線路監視システムが有する効果に加えて、試験機と波長ルータを繋ぐ専用の光線路（監視用光線路）が不用になるという効果がある。例えば、試験機と主装置の間に比べて、試験機と波長ルータの間の距離が離れている場合に、有利になる。
また、第３の実施形態の場合は、従属装置側光線路を監視する監視用光信号が、主装置側光線路を通過するので、従属装置側光線路の監視と同時に主装置側光線路の監視を行うこともできる。
【００６５】
なお、第１の実施形態と同様、監視用出力ポート７０Ｑｚに反射部Ｒ２を設け（図１３参照）、監視用光信号λ’’が反射部Ｒ２で反射されて波長ルータ７０に戻り、主装置側光線路４０を通って試験機９１に受信されるようにしてもよい。この場合、光線路５１が不要になる。従って、試験機９１と波長ルータ７０の距離が離れている場合に有利になる。
【００６６】
≪第４の実施形態≫
第４の実施形態の光線路監視システムを、図１４などを参照して説明する。
この第４の実施形態は、第２の実施形態と同様、複数の伝送システムを一つの光線路監視システムＡ４で監視するものである。
【００６７】
〔光線路監視システムの構成〕
この第４の実施形態の光線路監視システムＡ４は、第３の実施形態の光線路監視システムＡ３と同様、従属装置側光線路５０及び主装置側光線路４０の監視を行う。但し、第２の実施形態と同様、伝送システム１は系Ａ〜系Ｎまで、Ｎ個ある。
なお、各伝送システム１Ａ・１Ｂ・・１Ｎは、第３の実施形態の伝送システム１と同じ構成及び機能を有するので、同一の要素・部材には同一の符号を付して、その説明を省略する。
同様に、光線路監視システムＡ４についても、第３の実施形態の光線路監視システムＡ３と同一の要素・部材には同一の符号を付して、その説明を省略する。
【００６８】
（１）従属装置側光線路を監視する光線路監視システムの構成を説明する。
第４の実施形態の光線路監視装置９０は、試験機９１及び試験制御装置９２に加えて光スイッチ９３を有する。この点、第２の実施形態と同じであるが、第３の実施形態とは異なる。光スイッチ９３は、系Ａから系ＮまでのＮ個の主装置１０と、Ｎ本の個別の光線路４２で結ばれている。この光スイッチ９３は、試験制御装置９２の指令に基づいて光路を切り換える光路切換スイッチである。この光スイッチ９３により、Ｎ本の光線路４２のうち、任意の１本を選択することができる。なお、主装置１０と光線路４２との接続の態様は、第３の実施形態の場合と同じである。
【００６９】
つまり、試験機９１は、光スイッチ９３を介して系Ａから系Ｎまで、Ｎ個の主装置１０に接続され、光スイッチ９３が選択している系の主装置１０に向けて監視用光信号λ’を送信（受信）する。この光スイッチ９３により、試験機９１は、監視用光信号λ’を任意の系の従属装置２０（２０ａ・２０ｂ・・２０ｍ）に送受信することができる。
なお、従属装置２０には、第１〜第３の実施形態と同様の反射手段が備えられており、試験機９１から送信された監視用光信号λ’を反射し、再び試験機９１に戻すようになっている。また、主装置１０のそれぞれには、第３の実施形態と同様、合分波手段を備え、主装置１０が送受信する通信用光信号λと試験機９１が送受信する監視用光信号λ’とを合分波することができる。
【００７０】
（２）主装置側光線路を監視する光線路監視システムの構成を説明する。
各系の伝送システム１（１Ａ・１Ｂ・・１Ｎ）の主装置側光線路４０を監視するための監視用光信号λ’’の送信は、試験機９１が行う（主装置１０が行うこととしてもよい）。監視用光信号λ’’は、波長ルータ７０までは、監視用光信号λ’と同じ経路を通過する。そして、波長ルータ７０のルーティング特性により、監視用出力ポート７０Ｑｚに出力されるようになっている。どの系の波長ルータ７０に向けて監視用光信号λ’’を送信するかは、光スイッチ９３を介して試験制御装置９２が制御する。監視用出力ポート７０Ｑｚに出力された監視用光信号λ’’は、光線路５１を通過して試験機９１に入力（受信）される。
なお、試験機９１に監視用光信号λ’’を入力する場合、光路を切り換える光スイッチを介する必要は特にない。監視用光信号λ’’の送信は、試験制御装置９２の指令に基づくものであり、また、主装置側光線路４０の数は従属装置側光線路５０の数に比べて少ない。このため、試験制御装置９２は、入力された監視用光信号λ’’がどの系のものであるかを容易に判断できる。
ちなみに、この第４の実施形態における監視用光信号λ’’には、監視用光信号λ’のうち、使われていない波長（空き波長）の光信号が割り当ててある。
【００７１】
〔光線路監視システムの動作〕
第４の実施形態の光線路監視システムＡ４の動作を、図１４などを参照して説明する。
【００７２】
（１）従属装置側光線路の監視；
例えば、系Ａの伝送システム１Ａの従属装置側光線路５０（５０ａ・５０ｂ・・５０ｍ）を監視する場合、光スイッチ９３により光路を切り換えて、試験機９１が送信する監視用光信号λ’が伝送システム１Ａの波長ルータ７０にのみ到達するようにする。そして、第１の実施形態などで行ったように、特定の従属装置２０に到達するような波長の監視用光信号λ’を順次送信し、従属装置２０（２０ａ・２０ｂ・・２０ｍ）と波長ルータ７０とを個別に繋ぐ従属装置側光線路５０（５０ａ・５０ｂ・・５０ｍ）の一本一本の監視を行う。
次に系Ｂの伝送システム１Ｂの従属装置側光線路５０（５０ａ・５０ｂ・・５０ｍ）を監視する場合は、光スイッチ９３により光路を切り換えて、試験機９１が送信する監視用光信号λ’が伝送システム１Ｂの波長ルータ７０に到達するようにする。そして、順次監視用光信号λ’を送信し、系Ｂの従属装置側光線路５０（５０ａ・５０ｂ・・５０ｍ）の一本一本の監視を行う。他の系についても同様に行う。
なお、試験機９１が送信する監視用光信号λ’は、系Ａに対して送信するものと他の系に送信するものと同じであってもよい。光スイッチ９３により光路が切り換えられているため、クロストークする心配がないからである。従って、この光スイッチ９３を設けることにより、試験機９１が送信する監視用光信号λ’の数を、監視する伝送システムの数が多くなっても増やす必要がない。
【００７３】
（２）主装置側光線路の監視；
例えば、系Ａの伝送システム１Ａの主装置側光線路４０を監視する場合、試験制御装置９２からの指令に基づいて光スイッチ９３の光路が切り換えられ、試験機９１が監視用光信号λ’’を、系Ａの波長ルータ７０に向けて送信する。これにより、第３の実施形態などの場合と同様に、系Ａの主装置側光線路４０の監視を行うことができる。なお、試験機９１が送信した監視用光信号λ’’は、波長ルータ７０によりルーティングされ、監視用出力ポート７０Ｑｚ、光線路５１を経由して試験機９１に到達する。
他の系の主装置側光線路４０を監視する場合は、試験制御装置９２が監視を行おうとする系に光スイッチ９３の光路を切り換え、監視用信号λ’’を送信する指令を発する。これにより、任意の系の主装置側光線路４０の監視を行うことができる。
【００７４】
このように、第４の実施形態の光線路監視システムによれば、監視すべき伝送システムの数が増えても、１つの光線路監視装置により光線路を監視することができる。当然、波長ルータにより、通信用光信号と監視用光信号とを合波・分波するため、パワー分岐による光損失を生じることなく光線路の異常を監視することができる。また、監視用光信号の周波数帯域が通信用光信号の周波数帯域とは異なるので、伝送システムにおける通信を阻害することがない。
【００７５】
なお、前記説明した主装置側光線路４０を監視する監視用光信号λ’’は、波長ルータ７０の監視用出力ポート７０Ｑｚに接続された光線路５１を介して試験機９１に入力される構成である。この構成に代えて、図１５に示すように、波長ルータ７０の監視用出力ポート７０Ｑｚに反射部Ｒ２を備え、監視用出力ポート７０Ｑｚに出力された監視用光信号λ’’を反射する構成としてもよい。
この構成の場合、反射された監視用光信号λ’’は、波長ルータ７０のルーティング特性により再び主装置側光線路４０、主装置１０、光スイッチ９３を通過して、試験機９１に受信される。試験制御装置９２は、試験機９１が受信した監視用光信号λ’’の信号レベルなどに基づいて、主装置側光線路４０の断線などの異常の有無や異常の発生場所などを判断する。
このように、監視用出力ポートに反射部を設けることによっても、主装置側光線路の監視を行うことができる。
【００７６】
以上説明した本発明の光線路監視システムは、前記した発明の実施の形態に限定されることなく、本発明の目的及び効果を達成する範囲内で適宜変更実施することができる。
例えば、従属装置側光線路の監視のみを行う光線路監視システムとしてもよい。また、従属装置における２種類の反射手段が一つの伝送システム中に混在していてもよい。さらに、監視用出力ポートに反射部を取り付けたものと取り付けないものが一つの伝送システム中に混在していてもよい。なお、従属装置側光線路を監視する監視用光信号を反射する反射手段は、従属装置に内蔵する場合のほか、従属装置側光線路のうち、従属装置に近接した位置に設置することとしてもよい。合分波手段も同様に、主装置に内蔵する場合のほか、主装置側光線路のうち、主装置に近接した位置に設置することとしてもよい。
【００７７】
【発明の効果】
本発明の光線路監視システムによれば、パワー分岐による光損失を生じることなく、かつ、通信に支障を生じることなく、光線路の監視を行うことができる。
また、システムの設置・取り扱いが容易である。
【図面の簡単な説明】
【図１】本発明の第１の実施形態の光線路監視システムの構成を伝送システムの構成と共に示す図である。
【図２】波長ルータの機能を説明する図である。
【図３】反射手段の構成を説明する図である。（ａ）は反射部を備える構成であり、（ｂ）はフィルタが監視用光信号を反射する構成のものである。
【図４】図３（ａ）におけるフィルタＦ１の特性を説明する図である。
【図５】図３（ｂ）におけるフィルタＦ２の特性を説明する図である。
【図６】波長ルータの特性を説明する図である。
【図７】図１の光線路監視システムの変形例の構成を示す図である。
【図８】本発明の第２の実施形態の光線路監視システムの構成を伝送システムの構成と共に示す図である。
【図９】図８の光線路監視システムの変形例の構成を示す図である。
【図１０】本発明の第３の実施形態の光線路監視システムの構成を伝送システムの構成と共に示す図である。
【図１１】主装置に備えられる合分波手段の構成を説明する図である。
【図１２】図１１におけるフィルタＦ３の特性を説明する図である。
【図１３】図１０の光線路監視システムの変形例の構成を示す図である。
【図１４】本発明の第４の実施形態の光線路監視システムの構成を伝送システムの構成と共に示す図である。
【図１５】図１４の光線路監視システムの変形例の構成を示す図である。
【図１６】従来例の光線路監視システムの構成を伝送システムの構成と共に示す図である。
【図１７】図１６とは異なる従来例の光線路監視システムの構成を伝送システムの構成と共に示す図である。
【符号の説明】
Ａ    光線路監視システム    （Ａ１・Ａ２・Ａ３・Ａ４）
９０      光線路監視装置
９１      試験機（多波長対応型試験機）
９２      試験制御装置
９３      光スイッチ
１        伝送システム    （１Ａ・１Ｂ・・１Ｎ）
１０      主装置
２０      従属装置
４０      主装置側光線路（光線路）
４１      光線路
４２      光線路
５０      従属装置側光線路（光線路）
５１      光線路
７０      波長ルータ
７０Ｐ    入力ポート部
７０Ｑ    出力ポート部
７０Ｑｚ  監視用出力ポート
Ｆ１      フィルタ（従属装置内）
Ｆ２      フィルタ（従属装置内）
Ｆ３      フィルタ（主装置内）
Ｒ１      反射部（従属装置内）
Ｒ２      反射部
【図１】
0003588657.tif 000002
【図２】
0003588657.tif 000003
【図３】
0003588657.tif 000004
【図４】
0003588657.tif 000005
【図５】
0003588657.tif 000006
【図６】
0003588657.tif 000007
【図７】
0003588657.tif 000008
【図８】
0003588657.tif 000009
【図９】
0003588657.tif 000010
【図１０】
0003588657.tif 000011
【図１１】
0003588657.tif 000012
【図１２】
0003588657.tif 000013
【図１３】
0003588657.tif 000014
【図１４】
0003588657.tif 000015
【図１５】
0003588657.tif 000016
【図１６】
0003588657.tif 000017
【図１７】
0003588657.tif 000018